(57)【要約】【課題】有用な罫書き情報を効率良く表示することが可能な撮像装置を提供する。【解決手段】撮像装置１は、撮影光学系から入射される被写体像を観察するためのファインダ光学系と、撮影領域において撮影条件に関連した撮影支援情報の検出位置を示す線画が表された透光性部材と、線画が重畳された被写体像に関する撮影画像を取得する副撮像素子７と、撮影画像に表れた線画から、設定されている撮影条件に応じて抽出される一部の線画を補正する補間処理回路５５とを備える。【選択図】図３
2008301047.tif 000002
【特許請求の範囲】
【請求項１】
撮像装置であって、
撮影光学系から入射される被写体像を観察するためのファインダ光学系と、
撮影領域において、撮影条件に関連した撮影支援情報の検出位置を示す線画が表された透光性部材と、
前記線画が重畳された前記被写体像に関する撮影画像を取得する撮像素子と、
前記撮影画像に表れた前記線画から、設定されている前記撮影条件に応じて抽出される一部の線画を補正する線画補正手段と、
を備えることを特徴とする撮像装置。
【請求項２】
請求項１に記載の撮像装置において、
前記透光性部材は、前記ファインダ光学系の光路中に配置され、
前記撮像素子は、前記透光性部材を透過した被写体像を受光可能な位置に配置されることを特徴とする撮像装置。
【請求項３】
請求項１に記載の撮像装置において、
前記線画補正手段は、
前記撮影条件に基づいて、前記線画の中から消去すべき前記一部の線画を決定する決定手段と、
前記撮影画像において前記一部の線画を構成する構成画素の画素値を変更して、前記一部の線画を消去する画像処理手段と、
を有することを特徴とする撮像装置。
【請求項４】
請求項１に記載の撮像装置において、
前記線画補正手段は、
前記撮影条件に基づいて、前記線画の中から強調すべき前記一部の線画を決定する決定手段と、
前記撮影画像において前記一部の線画を構成する構成画素の画素値を変更して、前記一部の線画を強調する画像処理手段と、
を有することを特徴とする撮像装置。
【請求項５】
請求項４に記載の撮像装置において、
前記画像処理手段は、輝度が低下する方向に前記画素値を変更して、前記一部の線画を強調することを特徴とする撮像装置。
【請求項６】
請求項１に記載の撮像装置において、
前記撮影条件は、フォーカスに関する設定情報であることを特徴とする撮像装置。
【請求項７】
請求項１に記載の撮像装置において、
前記撮影条件は、露出に関する設定情報であることを特徴とする撮像装置。
【請求項８】
請求項１に記載の撮像装置において、
前記透光性部材は、前記被写体像が結像される焦点板であることを特徴とする撮像装置。
【請求項９】
請求項１に記載の撮像装置において、
前記線画は、複数の撮影条件それぞれに対応する複数の線画で構成されていることを特徴とする撮像装置。
【請求項１０】
請求項３に記載の撮像装置において、
前記画像処理手段は、前記撮影画像において前記一部の線画の周辺に存在する周辺画素の画素情報を用いて、前記構成画素に対する補間処理を施すことにより、前記撮影画像から前記一部の線画を消去することを特徴とする撮像装置。
【請求項１１】
請求項１０に記載の撮像装置において、
前記周辺画素は、前記一部の線画を構成する線の延伸方向に対して垂直な方向に存在する画素であることを特徴とする撮像装置。
【発明の詳細な説明】
【技術分野】
【０００１】
本発明は、撮像装置に関する。
【背景技術】
【０００２】
近年、デジタル一眼レフカメラ（ＤＳＬＲ）において、本撮影前の被写体像に関する撮影画像（「ライブビュー画像」とも称する）を液晶モニタに表示するいわゆる電子ファインダ機能を搭載した撮像装置が提案されている。このような電子ファインダ機能を有する撮像装置は、例えば、本撮影画像取得用の撮像素子とは異なる撮像素子を光学ファインダ内に設置して焦点板に結像された被写体像を取得し、液晶モニタに当該被写体像を動画的態様にて表示する。光学ファインダにおいては、測距範囲および／または測光範囲等を表示する罫書き線が被写体像に重畳されるため、上記の撮像装置においては、液晶モニタに罫書き線が被写体像とともに表示される。
【０００３】
しかし、ライブビュー画像において罫書き線が表示されると、被写体像の視認性が悪化し、撮影者（「ユーザ」とも称する）にとっては罫書き線が目障りになるという問題がある。
【０００４】
そこで、罫書き線の分光透過率に相応した補正データを予め用意して、この補正データに基づいて罫書き線の画像部分を消去する技術が提案されている（特許文献１）。
【０００５】
また、罫書き線を視認可能な第１の表示モードと罫書き線を消去可能な第２の表示モードとを選択可能にして、第２の表示モードが選択された場合は、撮影画像から罫書き線を消去してモニタに表示する技術が提案されている（特許文献２）。
【０００６】
【特許文献１】特開２００６−３１１１２６号公報
【特許文献２】特開２００１−２９６５８４号公報
【発明の開示】
【発明が解決しようとする課題】
【０００７】
しかしながら、特許文献１に記載の技術では、製造時に撮像装置ごとに分光透過率を測定する必要があるため、その製造工程において余分な工数を必要とする。また、罫書き線の消去によって撮影を行う上で有用な情報をすべて消失してしまうことになる。
【０００８】
また、特許文献２に記載の技術では、罫書き線を消去可能な第２の表示モードが選択された場合は、撮影を行う上で有用な情報をすべて消失してしまうことになる。
【０００９】
そこで、本発明は、有用な罫書き情報を効率良く表示することが可能な撮像装置を提供することを目的とする。
【課題を解決するための手段】
【００１０】
本発明の１つの側面は、撮像装置であって、撮影光学系から入射される被写体像を観察するためのファインダ光学系と、撮影領域において、撮影条件に関連した撮影支援情報の検出位置を示す線画が表された透光性部材と、前記線画が重畳された前記被写体像に関する撮影画像を取得する撮像素子と、前記撮影画像に表れた前記線画から、設定されている前記撮影条件に応じて抽出される一部の線画を補正する線画補正手段とを備えることを特徴とする。
【発明の効果】
【００１１】
本発明によれば、撮影条件に基づいて撮影画像において表された線画を補正するので、撮影条件に対して有用な罫書き情報を効率良く表示することが可能になる。
【発明を実施するための最良の形態】
【００１２】
以下、本発明の実施形態を図面を参照して説明する。
【００１３】
＜１．実施形態＞
＜１−１．構成＞
図１および図２は、本発明の実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１４】
図１に示すように、撮像装置１は、カメラ本体部（カメラボディ）２を備えている。このカメラ本体部２に対して、交換式の撮影レンズユニット（交換レンズ）３が着脱可能である。
【００１５】
撮影レンズユニット３は、主として、鏡胴３６と、鏡胴３６の内部に設けられるレンズ群３７および絞り１６（図３参照）等によって構成される撮影光学系とを備えている。レンズ群３７には、光軸方向に移動することによって焦点位置を変更するフォーカスレンズ等が含まれている。
【００１６】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１７】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モードおよびフルオート撮影モード等）、撮影した画像を再生する再生モードおよび外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１８】
また、カメラ本体部２は、正面左端部に撮影者（ユーザ）が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード９０（図３参照）が着脱可能に収納されるようになっている。
【００１９】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子（「主撮像素子」とも称する）５（後述）を用いて被写体像（被写体の光像）に関する露光動作を行い、その露光動作によって得られた画像信号に所定の画像処理を施す一連の動作）が行われる。
【００２０】
図２において、カメラ本体部２の背面略中央上部には、ファインダ窓（接眼窓）１０が設けられている。撮影者は、ファインダ窓１０を覗くことによって、図４に示すように撮影レンズユニット３から光学的に導かれた被写体像を視認して構図決定を行うことができる。すなわち、撮影レンズユニット３を通った被写体像をファインダ窓１０に導く光学ファインダを用いた構図決めが可能である。
【００２１】
なお、本実施形態に係る撮像装置１では、被写体像に関する本撮影前のライブビュー画像(プレビュー画像)を背面モニタ１２に表示するライブビュー機能を用いて構図決めを行うことも可能である(後で詳述)。このライブビュー機能とは、撮像素子（「副撮像素子」とも称する）７(図４参照)で取得された被写体に関する時系列の画像を順次に背面モニタ１２に表示する機能で、換言すれば被写体の画像を動画的態様で背面モニタ１２に表示する機能である。以上のライブビュー機能(電子ファインダ)を用いた構図決め動作と光学ファインダを用いた構図決め動作との切換は、撮影者が表示切替スイッチ１８（後述）をスライドさせることによって行われる。
【００２２】
また、ファインダ窓１０の下部には、接眼検知センサ１３が設けられている。接眼検知センサ１３は、近接物体の有無を検知するセンサであり、撮影者によるファインダ使用の有無を検知する。
【００２３】
図２において、カメラ本体部２の背面の略中央には、画像表示が可能な表示画面１２ｆを有する背面モニタ１２が設けられている。背面モニタ１２は、例えばカラー液晶ディスプレイ（ＬＣＤ）として構成されている。そして、背面モニタ１２は、撮影条件等を設定するためのメニュー画面を表示したり、再生モードにおいてメモリカード９０に記録された撮影画像を再生表示したりすることができる。
【００２４】
背面モニタ１２の左上部にはメインスイッチ８１が設けられている。メインスイッチ８１は２点のスライドスイッチからなり、接点を左方の「ＯＦＦ」位置に設定すると、電源がオフになり、接点の右方の「ＯＮ」位置に設定すると、電源がオンになる。
【００２５】
背面モニタ１２の右側には方向選択キー８４が設けられている。この方向選択キー８４は円形の操作ボタンを有し、この操作ボタンにおける上下左右の４方向の押圧操作と、右上、左上、右下および左下の４方向の押圧操作とが、それぞれ検出されるようになっている。なお、方向選択キー８４は、上記８方向の押圧操作とは別に、中央部のプッシュボタンの押圧操作も検出されるようになっている。
【００２６】
方向選択キー８４の右下方向には、表示切替スイッチ１８が設けられている。この表示切替スイッチ１８は、２点のスライドスイッチからなり、接点を上段の「光学」位置に設定するとＯＶＦモードが選択され、光学ファインダ視野内に被写体像が表示される。これにより、撮影者は、ファインダ窓１０を介して光学ファインダ視野内の表示を視認して、構図決め操作（「フレーミング」とも称する）を行うことが可能になる。
【００２７】
一方、表示切替スイッチ１８の接点を下段の「液晶」位置に設定するとＥＶＦモードが選択され、背面モニタ１２において被写体像に係るライブビュー画像が動画的態様にて表示される。これにより、撮影者は、背面モニタ１２に表示されるライブビュー画像を視認することによって、フレーミングを行うことが可能になる。
【００２８】
背面モニタ１２の左側には、メニュー画面の設定、画像の削除などを行うための複数のボタンからなる設定ボタン群８３が設けられている。設定ボタン群８３に含まれる所定のボタンと方向選択キー８４とを協働操作することによって、撮影者は、背面モニタ１２に表示されたモード設定画面上で、手動で撮影条件を設定可能な手動撮影モードと自動で撮影条件を設定する自動撮影モードとの切替設定を行うことができる。具体的には、絞り優先またはシャッタースピード優先等のオート露出（ＡＥ）モードとマニュアル露出（ＭＥ）モードとの切替、オートフォーカス（ＡＦ）モードとマニュアルフォーカス（ＭＦ）モードとの切替等の各種撮影条件の設定が行われる。
【００２９】
＜１−２．機能＞
次に、図３を参照しながら、撮像装置１の機能の概要について説明する。図３は、撮像装置１の機能構成を示すブロック図である。
【００３０】
図３に示すように、撮像装置１は、操作部８０、全体制御部１０１、フォーカス制御部１２１、ミラー制御部１２２、シャッター制御部１２３、絞り駆動制御部１２４、タイミング制御回路１２５、およびデジタル信号処理回路５０等を備える。
【００３１】
操作部８０は、レリーズボタン１１（図１参照）を含む各種ボタンおよびスイッチ等を備えて構成される。操作部８０に対する撮影者の入力操作に応答して、全体制御部１０１が各種動作を実現する。
【００３２】
全体制御部１０１は、マイクロコンピュータとして構成され、主にＣＰＵ、ＲＡＭ、ＲＯＭ等を備える。全体制御部１０１は、ＲＯＭ内に格納されるプログラムを読み出し、当該プログラムをＣＰＵで実行することによって、各種機能を実現する。例えば、全体制御部１０１は、ＡＦモジュール２０およびフォーカス制御部１２１等と協働して、フォーカスレンズの位置を制御する合焦制御動作を行う。なお、ＡＦモジュール２０は、ミラー機構６（図４参照）によって導かれた被写体からの光を用いて、位相差方式等の合焦状態検出手法により被写体の合焦状態を検出することが可能である。
【００３３】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動させる。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３４】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３５】
シャッター制御部１２３は、全体制御部１０１から入力される信号に基づいて制御信号を生成しモータＭ３を駆動することによって、シャッター４の開閉を制御する。
【００３６】
絞り駆動制御部１２４は、全体制御部１０１から入力される信号に基づいて制御信号を生成しモータＭ４を駆動することによって、撮影レンズユニット３に設けられた絞り１６の絞り径を制御する。
【００３７】
タイミング制御回路１２５は、主撮像素子５等に対するタイミング制御を行う。
【００３８】
主撮像素子（例えばＣＣＤ）５は、レンズ群３７を介して受光した被写体像を光電変換作用によって電気的信号に変換して、本撮影画像に係る画像信号（記録用の画像信号）を生成する。すなわち、主撮像素子５は、本撮影時において被写体に係る画像を取得する撮像センサとして機能する。
【００３９】
主撮像素子５は、タイミング制御回路１２５から入力される駆動制御信号（蓄積開始信号および蓄積終了信号）に応答して、受光面に結像された被写体像の露光（光電変換による電荷蓄積）を行い、当該被写体像に係る画像信号を生成する。また、主撮像素子５は、タイミング制御回路１２５から入力される読出制御信号に応答して、当該画像信号を信号処理部５１へ出力する。また、タイミング制御回路１２５からのタイミング信号（同期信号）は、信号処理部５１およびＡ／Ｄ（アナログ／デジタル）変換回路５２にも入力される。
【００４０】
主撮像素子５は、ブレ補正ユニット１７（図４参照）にて撮影レンズユニット３の光軸と直交する平面において二次元的に移動可能に保持されている。具体的には、ブレ補正ユニット１７に設けられたヨー方向アクチュエータおよびピッチ方向アクチュエータ(不図示)よって、Ｙ軸に平行な方向Ｄｙ(図４)およびＸ軸に平行な方向に主撮像素子５の位置を変更できる構成となっている。そして、全体制御部１０１がブレ検出センサ（不図示）からのブレ検出信号に基づいてブレ方向およびブレ量を算出し、算出された方向およびブレ量に基づきブレ補正制御信号を生成してブレ補正ユニット１７に出力し、主撮像素子５を手ブレが打ち消される方向にシフトさせる。
【００４１】
主撮像素子５で取得された画像信号は、信号処理部５１においてアナログ信号処理が施され、当該アナログ信号処理後の画像信号はＡ／Ｄ変換回路５２によってデジタル画像データ（画像データ）に変換される。そして、この画像データは、デジタル信号処理回路５０に入力される。
【００４２】
デジタル信号処理回路５０は、Ａ／Ｄ変換回路５２から入力される画像データに対してデジタル信号処理を行い、撮影画像に係る画像データを生成する。デジタル信号処理回路５０は、黒レベル補正回路５３、ホワイトバランス（ＷＢ）補正回路５４、補間処理回路５５、γ補正回路５６および画像メモリ５７を備える。
【００４３】
黒レベル補正回路５３は、Ａ／Ｄ変換回路５２が出力した画像データを構成する各画素データの黒レベルを基準の黒レベルに補正する。ＷＢ補正回路５４は、画像のホワイトバランス調整を行う。補間処理回路５５は、後で詳述する電子ファインダ使用時に動画的態様にて背面モニタ１２に表示される撮影画像内の線画（後述）を補間処理によって消去する。γ補正回路５６は、撮影画像の階調変換を行う。画像メモリ５７は、生成された画像データを一時的に記憶するための、高速アクセス可能な画像メモリであり、複数フレーム分の画像データを記憶可能な容量を有している。
【００４４】
本撮影時には、画像メモリ５７に一時記憶される画像データは、全体制御部１０１において適宜画像処理（圧縮処理等）が施された後、カードＩ／Ｆ１３２を介してメモリカード９０に記憶される。
【００４５】
また、画像メモリ５７に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４６】
また、撮像装置１は、主撮像素子５とは別の撮像素子（副撮像素子）７をさらに備えている。この副撮像素子７は、本撮影前において被写体に係る画像を取得する機能を有し、いわゆるライブビュー画像取得用（電子ファインダ用）の撮像素子としての役割を果たす。
【００４７】
副撮像素子７は、主撮像素子５と同様の構成を有している。ただし、副撮像素子７は、ライブビュー用の画像信号（動画像）を生成するための解像度を有していればよく、通常、主撮像素子５よりも少ない数の画素で構成される。
【００４８】
副撮像素子７で取得された画像信号に対しても、主撮像素子５で取得された画像信号と同様の信号処理が施される。すなわち、副撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５７に格納される。
【００４９】
また、副撮像素子７で取得され画像メモリ５７に格納される時系列の画像データは、全体制御部１０１によって適宜ＶＲＡＭ１３１に順次に転送され、当該時系列の画像データに基づく画像が背面モニタ１２に表示される。これによって、構図決めを行うための動画的態様の表示（ライブビュー表示）が実現される。
【００５０】
さらに、撮像装置１は、通信用Ｉ／Ｆ１３３を有しており、当該インターフェイス１３３の接続先の機器（例えば、パーソナルコンピュータ等）とデータ通信をすることが可能である。
【００５１】
また、撮像装置１は、フラッシュ４１、フラッシュ制御回路４２、およびＡＦ補助光発光部４３を備えている。フラッシュ４１は、被写体の輝度不足時等に利用される光源である。フラッシュの点灯の有無および点灯時間等は、フラッシュ制御回路４２および全体制御部１０１等によって制御される。ＡＦ補助光発光部４３は、ＡＦ用の補助光源である。ＡＦ補助光発光部４３の点灯の有無および点灯時間等は、全体制御部１０１等によって制御される。
【００５２】
＜１−３．構図決め動作＞
次に、撮像装置１における構図決め動作を含む撮影動作について説明する。上述したように、撮像装置１においては、光学ファインダ（「光学ビューファインダ（ＯＶＦ）」とも称される）を用いて構図決めを行うことが可能である。またさらに、本撮影前に副撮像素子７で順次に取得される各画像に基づく連続的な画像表示(ライブビュー表示)を表示画面１２ｆで行わせる電子ファインダ（「電子ビューファインダ（ＥＶＦ）」とも称される）を用いて構図決めを行うことも可能である。
【００５３】
図４および図５は、撮像装置１の断面図である。図４は、光学ファインダを用いた構図決め動作を示しており、図５は、電子ファインダを用いた構図決め動作を示している。
【００５４】
図４に示すように、撮影レンズユニット３に関する光軸ＪＬ上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれ、位相差方式のＡＦ動作に利用される。
【００５５】
撮影モードにおいてレリーズボタン１１が全押し状態Ｓ２にされるまで、換言すれば構図決めの際には、ミラー機構６はミラーダウン状態となるように配置される（図４および図５参照）。そして、この際には、撮影レンズユニット３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわち光学ファインダおよび電子ファインダ）のいずれを採用して構図決めを行うかに応じて異なり（後述）、撮影者は選択した所望の方式によって構図決めを行うことが可能である。
【００５６】
レリーズボタン１１が全押し状態Ｓ２にされると、ミラー機構６はミラーアップ状態となるように駆動され、露光動作が開始される。被写体に係る記録用静止画像（本撮影画像とも称する）を取得する際の動作（すなわち露光の際の動作）は、上記の両方式（すなわち光学ファインダおよび電子ファインダ）による構図決めに共通である。
【００５７】
次に、構図決めの際の上記両方式の各動作についてそれぞれ説明する。
【００５８】
＜１−３−１．光学ファインダによる構図決め動作＞
まず、光学ファインダによる構図決め動作について説明する。図６は、ファインダ窓１０に映り込む線画Ｇｖを示す図である。
【００５９】
図４に示すように、ミラー機構６の主ミラー６１およびサブミラー６２が、撮影レンズユニット３からの被写体像の光路上に配置されると、被写体像が主ミラー６１とペンタミラー６５と接眼レンズ６７とを介してファインダ窓１０へと導かれる。このように、主ミラー６１とペンタミラー６５と接眼レンズ６７とを含むファインダ光学系は、撮影光学系からの光束であって主ミラー６１で反射された光束である観察用光束をファインダ窓１０へと導くことができる。すなわち、光学ファインダにより、撮影レンズを通った被写体光を光路ＫＡ(図４の破線)に沿ってファインダ窓１０に導くことが可能である。
【００６０】
詳細には、撮影レンズユニット３からの光は、主ミラー６１で反射されて上方に進路を変更し、焦点板６３において結像し、焦点板６３を通過する。その後、焦点板６３を通過した光は、ペンタミラー６５でその進路をさらに変更した後に接眼レンズ６７を通ってファインダ窓１０へ向かう（図４の光路ＫＡ）。このようにして、ファインダ窓１０を通過した被写体像は撮影者（観察者）の眼へ到達して視認される。すなわち、撮影者はファインダ窓１０を覗くことによって、被写体像を確認（観察）することができる。
【００６１】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、もう１つのミラー（反射面）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらにミラー６５ｅでも反射されることによって上下も反転されて撮影者の眼に到達する。このように、撮影レンズユニット３において上下左右が反転されていた光像は、ペンタミラー６５でさらに上下左右が反転される。これにより、撮影者は、実際の被写体とその上下左右が同じ状態の被写体像をファインダ窓１０で観察することができる。
【００６２】
また、光学ファインダにおいては、例えば図６のように被写体に対してのフォーカス位置および／または測光位置を示す線画(「線描画」または「ターゲットマーク」とも称する)Ｇｖが被写体像に重畳されてファインダ窓１０に映り込むようになっている。この線画Ｇｖは、フォーカスおよび／または露出に関する複数の撮影条件（後述）それぞれに対応する複数の線画によって構成されている。具体的には、線画Ｇｖは、ワイドフォーカスフレームを表す４つのＬ字状の線Ｌ１〜Ｌ４と、ローカルフォーカスフレームを表す８つの線分Ｌ１１〜Ｌ１８と、スポットフォーカスフレームを表す方形状の線Ｌ１９と、スポット測光領域を表す方形状の線Ｌ５１とで構成されている。なお、線画Ｇｖは、撮影領域におけるフォーカス位置および測光位置等を表していることから、撮影条件に関連した撮影支援情報を検出（取得）する位置（「情報検出位置」または単に「検出位置」とも称する）を示しているとも表現することができる。
【００６３】
撮像装置１では、上記ローカルフォーカスフレームを示す線分Ｌ１１〜Ｌ１８と上記スポットフォーカスフレームを示す線Ｌ１９とに対応する合計９箇所にＡＦモジュール２０の焦点検出センサが設けられており、これら９つの焦点検出センサを用いた被写体のピント合わせが可能となっている。例えば、合焦動作を行う際に用いるＡＦエリア（「フォーカスエリア」とも称する）の選択パターン（ＡＦエリアパターン）としてワイド式が選択された場合は、ワイドフォーカスフレーム内の９つの焦点検出センサから自動的に選択されたセンサを用いたピント合わせが実行される。
【００６４】
なお、撮像装置１におけるＡＦエリアの選択パターンとしては、中央スポット式、ワイド式およびローカル式が存在し、ＡＦエリアパターンの選択（有効化）は、方向選択キー８４または設定ボタン群８３等を用いたボタン操作によって行われる。
【００６５】
中央スポット式（単に「中央スポット」とも称する）では、スポットフォーカスフレームを表す罫書き線Ｌ１９（「第３の罫書き線」とも称する）が、ＡＦエリアとして固定的に指定される（図６参照）。ワイド式（単に「ワイド」とも称する）では、上述のように、ローカルフォーカスフレームを表す罫書き線Ｌ１１〜Ｌ１８（「第２の罫書き線」とも称する）および第３の罫書き線Ｌ１９の中から１の罫書き線がＡＦエリアとして自動的に指定（決定）される。ローカル式（単に「ローカル」とも称する）では、撮影者によって第２の罫書き線Ｌ１１〜Ｌ１８および第３の罫書き線Ｌ１９の中から１の罫書き線がＡＦエリアとして選択的に指定される。
【００６６】
また、被写体の明るさを測るモード（「測光モード」とも称する）としてスポット測光が選択された場合は、方形状の線Ｌ５１に囲まれた中央のスポット測光領域内で測光が行われる。
【００６７】
なお、撮像装置１における測光モードとしては、多分割測光、中央重点平均測光およびスポット測光が存在し、測光モードの選択（有効化）は、方向選択キー８４または設定ボタン群８３等を用いたボタン操作によって行われる。多分割測光では、撮影領域を細かく分割して各分割領域において測光が行われる。中央重点測光では、撮影領域の中央部に重点を置きながら、撮影領域全体の明るさが平均的に測光される。スポット測光では、上述のように撮影領域中央のスポット測光領域で測光が行われる。
【００６８】
以上のような線画Ｇｖは、透光性の部材として構成される焦点板６３の上面を罫書くことで描画されている。すなわち、被写体像に重畳されてファインダ窓１０に導かれる線画Ｇｖは、撮影レンズを通った被写体光をファインダ窓１０に導く光路ＫＡ上に設けられた焦点板６３に表されている。
【００６９】
また、主ミラー６１を透過した光はサブミラー６２で反射されて下方に進路を変更しＡＦモジュール２０へと入射される。ＡＦモジュール２０およびフォーカス制御部１２１等は、主ミラー６１およびサブミラー６２を介して進入してきた光を用いて、ＡＦ動作を実現する。
【００７０】
＜１−３−２．電子ファインダによる構図決め動作＞
次に、電子ファインダによる構図決め動作について説明する。
【００７１】
この場合にも、図５に示すように、ミラー機構６の主ミラー６１およびサブミラー６２が、撮影レンズユニット３からの被写体像の光路上に配置される。そして、撮影レンズユニット３からの光は、主ミラー６１で反射されて上方に進路を変更し、焦点板６３において結像し、焦点板６３を通過する。
【００７２】
ただし、この電子ファインダによる構図決め動作においては、焦点板６３を通過した被写体像を形成する光は、ペンタミラー６５でその進路をさらに変更した後に、結像レンズ６９（結像光学系）を通過して副撮像素子７の撮像面上で再結像する（図５の光路ＫＢ参照）。なお、主ミラー６１で反射されて上方に進路を変更した光は、ダハミラー６５ａ，６５ｂで反射されて左右反転されて進行し、さらにミラー６５ｅでも反射されることによって上下も反転され、さらに結像レンズ６９で上下左右反転されて副撮像素子７に到達する。
【００７３】
より詳細には、図４と比較すると判るように、図５においてはミラー６５ｅの角度（カメラ本体部２に対する設置角度）が変更されている。具体的には、ミラー６５ｅは、図４の状態から、その下端側の軸ＡＸ１を中心に矢印ＡＲ１の向きに所定角度α回動している。ここで、ミラー６５ｅは、表示切替スイッチ１８の操作に連動して軸ＡＸ１を中心とした回転駆動が可能となっている。そして、全体制御部１０１は、軸ＡＸ１に関するミラー６５ｅの角度を検出する角度検出器（不図示）による検出結果に応じて、光学ファインダによる構図決め動作を行うべきか、電子ファインダによる構図決め動作を行うべきかを決定する。具体的には、図４に示すミラー６５ｅの角度（「通常角度」とも称する）では、光学ファインダによる構図決め動作を行うべき旨を決定して、副撮像素子７への給電を停止し背面モニタ１２を非表示にする等の処理を行う。一方、図５に示すミラー６５ｅの角度（「変更角度」）では、電子ファインダによる構図決め動作を行うべき旨を決定して、ライブビューモードの処理、つまり副撮像素子７への給電を行うとともに背面モニタ１２にライブビュー画像を表示する処理を行う。
【００７４】
このように、ミラー６５ｅの姿勢を変更することによって、ミラー６５ｅで反射される光の光路が変更され、当該ミラー６５ｅによる反射光の進路が変更される。具体的には、図４の状態に比べて、ミラー６５ｅへの入射角度θ１が比較的小さくなり、反射角度θ２も比較的小さくなる(図５参照)。その結果、ミラー６５ｅの反射光は、接眼レンズ６７に向かう光路からダハミラー６５ａ，６５ｂ寄りの光路へとその進路を上方に変更し、結像レンズ６９を通過して副撮像素子７に到達する。なお、結像レンズ６９および副撮像素子７は、接眼レンズ６７よりも上方に配置されており、かつ、ＯＶＦの際にミラー６５ｅから接眼レンズ６７へと進行する光の光路を遮らない位置に配置されている。
【００７５】
また、ミラー６５ｅで反射された光の進路は、ミラー６５ｅの変更角度αに応じて、その２倍の大きさの角度β（＝２×α）分変更される。逆に言えば、反射光路の進行角度を角度β変更するために、ミラー６５ｅの回転角度は、当該角度βの半分の角度αで済む。すなわち、ミラー６５ｅの比較的小さな回転角度でミラー６５ｅの反射光の進路を比較的大きく変更することが可能である。また、ミラー６５ｅと副撮像素子７とは比較的離れて配置されているため、ミラー６５ｅの回転角度を小さく変更するだけで、ミラー６５ｅによる２つの反射光を、互いに離れて配置された接眼レンズ６７および副撮像素子７へと確実に導くことが可能である。すなわち、ミラー６５ｅの回転角度を小さく変更することによってミラー６５ｅによる反射光の光束を良好に２つの光路に選択的に進行させることが可能である。したがって、ミラー６５ｅの回転によるスペースの増大は最小限に止められる。
【００７６】
このように、結像レンズ６９および副撮像素子７は、ファインダ光学系の光路ＫＡのうち少なくとも一部を共用する光路ＫＢ上において、焦点板６３を透過した被写体像を受光可能な位置に配置される。そして、副撮像素子７は、ミラー６５ｅで反射され結像レンズ６９を通過して副撮像素子７に到達した被写体像に基づいて、ライブビュー画像を生成する。具体的には、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。
【００７７】
なお、副撮像素子７に到達する被写体像には、焦点板６３に描かれた線画Ｇｖが重畳されるため、副撮像素子７では、線画Ｇｖが重畳された態様の撮影画像が取得される。
【００７８】
また、この場合も、光学ファインダによる構図決めの際（図４参照）と同様に、主ミラー６１とサブミラー６２とを介してＡＦモジュール２０に入射した光を用いてＡＦ動作が実現される。
【００７９】
＜１−４．動作＞
次に、撮像装置１の構図決めに関する動作について説明する。図７は、撮像装置１の構図決めに関する動作を示すフローチャートである。
【００８０】
メインスイッチ８１の操作によって撮像装置１の電源がオンにされると、図７に示されるように、ステップＳＰ１では、撮影モードが選択されているか否かが判定される。撮影モードが選択されていない場合は、構図決めを含む撮影動作を終了し、撮影モードが選択されている場合は、ステップＳＰ２へと移行する。
【００８１】
ステップＳＰ２では、ＥＶＦモードが選択されているか否かが判定される。ＥＶＦモードが選択されていないと判定される（表示切替スイッチ１８の操作および接眼検知によりＯＶＦモードが選択されている）と、ステップＳＰ３へ移行し、ＯＶＦモードに関する構図決め動作（ステップＳＰ３〜ＳＰ５）が実行される。
【００８２】
具体的には、ステップＳＰ３では、ミラー６５ｅの角度が調整され、当該角度が通常角度に設定され、ステップＳＰ４では、アイピースシャッター６８が開状態に設定される。これにより、撮影光学系を通った被写体光は、光路ＫＡ(図４の破線)に沿ってファインダ窓１０に導かれる。そして、ステップＳＰ５では、背面モニタ１２への給電が停止される。
【００８３】
このようなＯＶＦモードに関する構図決め動作（ステップＳＰ３〜ＳＰ５）によって、撮影者は、ファインダ窓１０を介して被写体像を視認することが可能になる。
【００８４】
一方、ステップＳＰ２において、表示切替スイッチ１８の操作および接眼検知によりＥＶＦモードが選択されていると判定されると、ステップＳＰ６へ移行し、ＥＶＦモードに関する構図決め動作（ステップＳＰ６〜ＳＰ１０）が実行される。
【００８５】
具体的には、ステップＳＰ６では、ミラー６５ｅの角度が調整され、当該角度が変更角度に設定される。
【００８６】
ステップＳＰ７では、アイピースシャッター６８が閉状態に設定され、ステップＳＰ８では、背面モニタ１２への給電が開始される。
【００８７】
ステップＳＰ９では、副撮像素子７によって被写体像に関するライブビュー画像が取得され、背面モニタ１２へのライブビュー画像の表示動作が実行される。詳細は、後述する。
【００８８】
ステップＳＰ１０では、ＥＶＦモードを継続するか否かが判定される。詳細には、撮影モードにおいてＥＶＦモードが維持されていれば、ステップＳＰ９へ移行し、撮影モードが解除またはＯＶＦモードが選択された場合は、ステップＳＰ１へと移行する。
【００８９】
このようなＥＶＦモードに関する構図決め動作によって、撮影者は、背面モニタ１２において被写体像に係るライブビュー画像を視認することが可能になる。
【００９０】
ここで、ステップＳＰ９におけるライブビュー画像の表示動作について詳述する。図８は、ライブビュー画像の表示動作に関するフローチャートである。図９は、撮影条件と各罫書き線との関係を示す図である。図１０は、各罫書き線のアドレス情報を示す図である。
【００９１】
具体的には、図８に示されるように、ステップＳＰ２１では、副撮像素子７によって被写体像に関する撮影画像が取得される。
【００９２】
ステップＳＰ２２では、全体制御部１０１において撮影者が撮影時において設定した撮影条件（「撮影設定条件」または「撮影情報」とも称する）が取得される。具体的には、フォーカスに関する設定情報（フォーカス情報）および／または露出に関する設定情報（露出情報）が取得される。フォーカス（焦点）情報としては、例えば、ＡＦモードおよびＭＦモードのうちいずれのフォーカスモードが選択（有効化）されているかについての情報（「フォーカスモード情報」とも称する）、または、中央スポット式、ワイド式およびローカル式のうちいずれのＡＦエリアパターンが選択（有効化）されているかについての情報（「ＡＦエリア選択情報」とも称する）が挙げられる。
【００９３】
また、露出情報としては、例えば、ＡＥモードおよびＭＥモードのうちいずれの露出モードが選択（有効化）されているかについての情報（「露出モード情報」とも称する）、または、多分割測光、中央重点測光およびスポット測光のうちいずれの測光モードが選択（有効化）されているかについての情報（「測光モード情報」とも称する）が挙げられる。
【００９４】
次に、ステップＳＰ２３では、全体制御部１０１において取得された撮影条件に基づいて、補正すべき罫書き線が特定される。本実施形態では、撮影者によって設定された撮影条件において撮影者に視認されても役に立たない（選択された撮影条件とは無関連の）不要な罫書き線が補正すべき罫書き線、すなわち消去すべき罫書き線として特定される。このような消去すべき罫書き線は、例えば、図９に示されるような各罫書き線と撮影条件とが対応付けられたデータテーブルを参照して特定される。
【００９５】
詳細には、フォーカスモードとしてＭＦモードが選択された場合は、第１の罫書き線Ｌ１〜Ｌ４と第２の罫書き線Ｌ１１〜Ｌ１８と第３の罫書き線Ｌ１９とが消去すべき（非表示の）罫書き線として特定される。なお、罫書き線Ｌ５１（「第４の罫書き線」とも称する）は、露出に関する罫書き線であるため、原則として、フォーカスに関する設定情報によって表示或いは非表示の対象とならない。
【００９６】
また、フォーカスモードとしてＡＦモードが選択された状態で、ＡＦエリアの選択パターンとして中央スポット式が選択された場合は、第３の罫書き線Ｌ１９が表示対象となり、第１の罫書き線Ｌ１〜Ｌ４と第２の罫書き線Ｌ１１〜Ｌ１８とは消去すべき罫書き線として特定される。
【００９７】
また、フォーカスモードとしてＡＦモードが選択された状態で、ＡＦエリアの選択パターンとしてワイド式が選択された場合は、第１の罫書き線Ｌ１〜Ｌ４と第２の罫書き線Ｌ１１〜Ｌ１８と第３の罫書き線Ｌ１９とが表示対象となり、フォーカスに関する罫書き線の中で消去すべき罫書き線は存在しない。
【００９８】
また、フォーカスモードとしてＡＦモードが選択された状態で、ＡＦエリアの選択パターンとしてローカル式が選択された場合は、第１の罫書き線Ｌ１〜Ｌ４が消去すべき罫書き線として特定される。そして、撮影者によって第２の罫書き線Ｌ１１〜Ｌ１８および第３の罫書き線Ｌ１９の中から１の罫書き線がＡＦエリアとして選択的に指定された後は、指定された罫書き線以外の他の罫書き線が消去すべき罫書き線として特定される。
【００９９】
露出に関する第４の罫書き線Ｌ５１は、露出モードとしてＭＥモードが選択されている場合、およびＡＥモードが選択されている状態で測光モードとして多分割測光或いは中央重点平均測光が選択されている場合は、消去対象として特定される。これに対して、ＡＥモードが選択されている状態で測光モードとしてスポット測光が選択されている場合は、第４の罫書き線Ｌ５１は、表示対象となる。
【０１００】
このようにして、ステップＳＰ２３では、取得された撮影条件に基づいて、撮影画像に表れた線画の中から、一部の線画が消去すべき罫書き線として特定される。
【０１０１】
次のステップＳＰ２４では、全体制御部１０１において、消去すべきものとして特定された罫書き線（「特定罫書き線」とも称する）の情報が取得される。具体的には、副撮像素子７で取得された撮影画像上での当該特定罫書き線を構成する画素（「線画構成画素」または「構成画素」とも称する）の位置情報（「アドレス情報」とも称する）が取得される。アドレス情報は、例えば、図１０に示されるような各罫書き線とアドレス情報（詳細には、撮影画像において各罫書き線を構成する各画素の座標）とが対応付けられたデータテーブルを参照して取得される。
【０１０２】
ステップＳＰ２５では、補間処理回路５５において副撮像素子７で取得された撮影画像において表された特定罫書き線が補正される。具体的には、撮影画像において特定罫書き線を構成する各線画構成画素の画素値を変更して、特定罫書き線を消去する画像処理が行われる。より詳細には、線画構成画素以外の画素であって、当該線画構成画素の周辺に存在する画素（周辺画素）の画素値を用いた補間によって算出された画素値を、当該線画構成画素の画素値とする処理が実行される。
【０１０３】
補間手法としては、例えば、以下のような手法を採用することができる。図１１および図１２は、罫書き線が表された撮影画像の一部領域を示す図である。
【０１０４】
具体的には、罫書き線の延伸方向を罫書き方向として全体制御部１０１内のＲＯＭ等に予め記憶しておき、補正対象とする線画構成画素を基準にして当該線画構成画素が属する罫書き線の罫書き方向に垂直な方向に存在する周辺画素の画素値を用いて補間処理を行う。
【０１０５】
例えば、図１１に示されるような特定罫書き線ＬＳ１を構成する線画構成画素ＰＸ１の画素値を算出する場合を想定する。この場合、罫書き方向（ここでは、Ｘ軸方向）に垂直な方向（＋Ｙ方向および−Ｙ方向）に存在する周辺画素として６つの画素ＰＡ，ＰＢ，ＰＣ，ＰＤ，ＰＥ，ＰＦ（図１１中において＊印が付された画素）が特定される。そして、６つの周辺画素ＰＡ，ＰＢ，ＰＣ，ＰＤ，ＰＥ，ＰＦ各々が有するＲ（赤）、Ｇ（緑）、Ｂ（青）の各色成分の画素値を用いて、線画構成画素ＰＸ１の各色成分の画素値が算出される。
【０１０６】
より詳細には、線画構成画素ＰＸ１のＲ成分の画素値ＰＸｒは、６つの周辺画素ＰＡ，ＰＢ，ＰＣ，ＰＤ，ＰＥ，ＰＦ各々が有するＲ成分の画素値ＰＡｒ，ＰＢｒ，ＰＣｒ，ＰＤｒ，ＰＥｒ，ＰＦｒを用いて式（１）のように表される。
【０１０７】
【数１】
2008301047.tif 000003
【０１０８】
ここで、式（１）中のＷａ，Ｗｂ，Ｗｃ，Ｗｄ，Ｗｅ，Ｗｆは、重み係数を表し、線画構成画素ＰＸ１と周辺画素ＰＢとの中心間距離Ｎｃ（ここでは、「４」（１画素に相当する距離を「１」として算出））と、線画構成画素ＰＸ１と周辺画素ＰＥとの中心間距離Ｍｃ（ここでは、「２」）とに基づいて算出される。例えば、重み係数Ｗａ，Ｗｂ，Ｗｃ，Ｗｄ，Ｗｅ，Ｗｆは、それぞれ式（２）〜（７）のように表される。
【０１０９】
【数２】
2008301047.tif 000004
【０１１０】
また、同様に、線画構成画素ＰＸ１のＧ成分の画素値ＰＸｇは、６つの周辺画素ＰＡ，ＰＢ，ＰＣ，ＰＤ，ＰＥ，ＰＦ各々が有するＧ成分の画素値ＰＡｇ，ＰＢｇ，ＰＣｇ，ＰＤｇ，ＰＥｇ，ＰＦｇを用いて式（８）のように表される。
【０１１１】
【数３】
2008301047.tif 000005
【０１１２】
また、同様に、線画構成画素ＰＸ１のＢ成分の画素値ＰＸｂは、６つの周辺画素ＰＡ，ＰＢ，ＰＣ，ＰＤ，ＰＥ，ＰＦ各々が有するＢ成分の画素値ＰＡｂ，ＰＢｂ，ＰＣｂ，ＰＤｂ，ＰＥｂ，ＰＦｂを用いて式（９）のように表される。
【０１１３】
【数４】
2008301047.tif 000006
【０１１４】
また、例えば、図１２に示されるようなＬ字状の特定罫書き線ＬＳ２において屈曲部に存在する線画構成画素ＰＸ２の画素値を算出する場合は、線画構成画素ＰＸ２から最も近傍に存在する画素から順に６つの画素ＰＡ，ＰＢ，ＰＣ，ＰＤ，ＰＥ，ＰＦが周辺画素として特定される。そして、これら周辺画素ＰＡ，ＰＢ，ＰＣ，ＰＤ，ＰＥ，ＰＦ各々が有するＲ（赤）、Ｇ（緑）、Ｂ（青）の各色成分の画素値を用いて、線画構成画素ＰＸ２の各色成分の画素値が算出される。線画構成画素ＰＸ２の各色成分の画素値は、上述の式（１）、式（８）および式（９）を用いて同様の手法により算出すればよい。
【０１１５】
このように、ステップＳＰ２５では、線画構成画素の周辺に存在する周辺画素の画素値を用いた補間により、当該線画構成画素の画素値（補間画素値）を算出し、線画構成画素の画素値を補間画素値に置換する罫書き補正処理が実行される。
【０１１６】
次のステップＳＰ２６では、不要な特定罫書き線を消去する画像処理が施された撮影画像が、背面モニタ１２にライブビュー画像として表示される。図１３、図１４、図１５、図１６および図１７は、背面モニタ１２に表示される罫書き線の態様を示す図である。なお、各図中の破線は消去された（非表示）の罫書き線を示している。
【０１１７】
例えば、フォーカスモードとしてＡＦモードが選択された状態で、ＡＦエリアの選択パターンとしてワイド式が選択され、かつ、露出モードとしてＡＥモードが選択されている状態で測光モードとして多分割測光（或いは中央重点平均測光）が選択されている場合は、第４の罫書き線Ｌ５１が消去された態様の線画Ｇｖ１が背面モニタ１２に表示される（図１３参照）。
【０１１８】
また、例えば、フォーカスモードとしてＡＦモードが選択された状態で、ＡＦエリアの選択パターンとして中央スポット式が選択され、かつ、露出モードとしてＡＥモードが選択されている状態で測光モードとしてスポット測光が選択されている場合は、第１の罫書き線Ｌ１〜Ｌ４と第２の罫書き線Ｌ１１〜Ｌ１８とが消去された態様の線画Ｇｖ２が背面モニタ１２に表示される（図１４参照）。
【０１１９】
また、例えば、フォーカスモードとしてＡＦモードが選択された状態で、ＡＦエリアの選択パターンとしてローカル式が選択され、かつ、露出モードとしてＡＥモードが選択されている状態で測光モードとしてスポット測光が選択されている場合は、第１の罫書き線Ｌ１〜Ｌ４が消去された態様の線画Ｇｖ３が背面モニタ１２に表示される（図１５参照）。そして、撮影者によって第２の罫書き線Ｌ１１〜Ｌ１８および第３の罫書き線Ｌ１９の中から１の罫書き線がＡＦエリアとして選択（指定）された後は、選択された罫書き線以外の他の罫書き線が消去された態様の線画が背面モニタ１２に表示される。具体的には、ＡＦエリアとして罫書き線Ｌ１１が選択された場合は、表示されていた第２の罫書き線Ｌ１１〜Ｌ１８および第３の罫書き線１９のうち、指定されなかった罫書き線Ｌ１２〜Ｌ１９が消去され、指定された罫書き線（「指定罫書き線」とも称する）Ｌ１１が表示された態様の線画Ｇｖ４が背面モニタ１２に表示される（図１６参照）。
【０１２０】
また、例えば、フォーカスモードとしてＭＦモードが選択され、かつ、露出モードとしてＭＥモードが選択されている場合は、全ての罫書き線（第１の罫書き線Ｌ１〜Ｌ４、第２の罫書き線Ｌ１１〜Ｌ１８、第３の罫書き線Ｌ１９および第４の罫書き線Ｌ５１）が消去された態様で背面モニタ１２に表示される（図１７参照）。なお、図１７では、第３の罫書き線Ｌ１９を表示した態様の線画Ｇｖ５を示している。これによれば、撮影者は、撮影領域の中央位置を把握し易くなる。
【０１２１】
以上のように、本実施形態に係る撮像装置１は、副撮像素子７によって取得された撮影画像に表れた線画から、設定されている撮影条件に応じて抽出される一部の線画を補正するので、撮影条件に対して有用な罫書き情報を効率良く表示することが可能になり、ライブビュー画像の視認性が向上する。
【０１２２】
＜２．変形例＞
以上、この発明の実施の形態について説明したが、この発明は、上記に説明した内容に限定されるものではない。
【０１２３】
例えば、上記実施形態では、図８に示されるステップＳＰ２３において消去すべき罫書き線を特定し、ステップＳＰ２５において当該消去すべき罫書き線をライブビュー用の撮影画像から消去する処理を実行していたが、これに限定されない。
【０１２４】
具体的には、ステップＳＰ２３において強調すべき罫書き線を特定し、ステップＳＰ２５において当該罫書き線をライブビュー用の撮影画像において強調する処理を実行する。より詳細には、ステップＳＰ２３では、撮影者によって設定された撮影条件において撮影者に視認されることが好ましい（選択された撮影条件に関連する）有用な罫書き線が、補正すべき罫書き線、すなわち強調すべき罫書き線として特定される。
【０１２５】
強調すべき罫書き線は、図９に示されるデータテーブルを用いて特定可能であり、例えば、フォーカスモードとしてＡＦモードが選択された状態で、ＡＦエリアの選択パターンとして中央スポット式が選択された場合は、第３の罫書き線Ｌ１９が表示対象となるため、第３の罫書き線Ｌ１９が強調すべき罫書き線として特定される。
【０１２６】
そして、ステップＳＰ２４では、強調すべきものとして特定された罫書き線（特定罫書き線）の撮影画像上での位置情報が取得される。
【０１２７】
ステップＳＰ２５では、副撮像素子７で取得された撮影画像において特定罫書き線が表示される位置に存在する画素（線画構成画素）の画素値を輝度が低下する方向に変更して、特定罫書き線を強調する画像処理が行われる。より詳細には、線画構成画素の画素値は、当該線画構成画素の画素値が予め有していた画素値よりも小さい画素値へと変更される。例えば、全ての線画構成画素の画素値を「０」に変更する画像処理が実行されて、特定罫書き線が強調される。
【０１２８】
そして、ステップＳＰ２６では、特定罫書き線を強調する画像処理が施された撮影画像が、背面モニタ１２にライブビュー画像として表示される。
【０１２９】
このように、撮影条件に基づいて、撮影画像において表示される線画の中から強調すべき特定（一部）の線画を決定し、当該特定の線画を構成する線画構成画素の画素値を変更して、特定の線画を強調することによれば、背面モニタ１２に有用な罫書き情報を明瞭に表示することが可能になる。
【図面の簡単な説明】
【０１３０】
【図１】本発明の実施形態に係る撮像装置の正面外観図である。
【図２】本発明の実施形態に係る撮像装置の背面外観図である。
【図３】撮像装置の機能構成を示すブロック図である。
【図４】撮像装置の断面図である。
【図５】撮像装置の断面図である。
【図６】ファインダ窓に映り込む線画を示す図である。
【図７】撮像装置の構図決めに関する動作を示すフローチャートである。
【図８】ライブビュー画像の表示動作に関するフローチャートである。
【図９】撮影条件と各罫書き線との関係を示す図である。
【図１０】各罫書き線のアドレス情報を示す図である。
【図１１】罫書き線が表された撮影画像の一部領域を示す図である。
【図１２】罫書き線が表された撮影画像の一部領域を示す図である。
【図１３】背面モニタに表示される罫書き線の態様を示す図である。
【図１４】背面モニタに表示される罫書き線の態様を示す図である。
【図１５】背面モニタに表示される罫書き線の態様を示す図である。
【図１６】背面モニタに表示される罫書き線の態様を示す図である。
【図１７】背面モニタに表示される罫書き線の態様を示す図である。
【符号の説明】
【０１３１】
１  撮像装置
５  主撮像素子
７  副撮像素子
１０  ファインダ窓
１２  背面モニタ
５５  補間処理回路
６３  焦点板
Ｇｖ，Ｇｖ１，Ｇｖ２，Ｇｖ３，Ｇｖ４，Ｇｖ５  線画
【図１】
2008301047.tif 000007
【図２】
2008301047.tif 000008
【図３】
2008301047.tif 000009
【図４】
2008301047.tif 000010
【図５】
2008301047.tif 000011
【図６】
2008301047.tif 000012
【図７】
2008301047.tif 000013
【図８】
2008301047.tif 000014
【図９】
2008301047.tif 000015
【図１０】
2008301047.tif 000016
【図１１】
2008301047.tif 000017
【図１２】
2008301047.tif 000018
【図１３】
2008301047.tif 000019
【図１４】
2008301047.tif 000020
【図１５】
2008301047.tif 000021
【図１６】
2008301047.tif 000022
【図１７】
2008301047.tif 000023